(57)【特許請求の範囲】
【請求項１】
圧縮機を運転し、冷却器で冷却した空気を庫内ファンにより庫内に循環させる冷蔵庫において、
庫内ファン停止温度、及び該庫内ファン停止温度より高い圧縮機停止温度が設定され、
庫内温度センサの検出庫内温度が、設定された前記圧縮機停止温度より低くなると、圧縮機を停止させ、
庫内温度センサの検出庫内温度が、設定された前記庫内ファン停止温度より低くなると、庫内ファンを停止させ、
庫内温度センサの検出庫内温度が、当該冷蔵庫の庫内設定温度より高く、かつ庫内温度センサの検出庫内温度の時間当たりの温度の低下が所定の温度より小さい場合、前記圧縮機停止温度の設定温度を低下させて前記庫内ファン停止温度と同じとし、
庫内温度センサの検出温度の時間当たりの温度の低下が所定の温度より大きい場合、前記圧縮機停止温度の設定温度を上昇させて前記庫内ファン停止温度より高くする
ことを特徴とする冷蔵庫。
【請求項２】
冷蔵庫の庫内設定温度を変更することにより、圧縮機停止温度の設定を、高く又は低く変更することを特徴とする請求項１記載の冷蔵庫。
【請求項３】
前記庫内設定温度の変更を、冷蔵庫が受信手段を有し、外部からの庫内設定温度の変更情報を受信することにより行うことを特徴とする請求項２記載の冷蔵庫。
【請求項４】
冷蔵庫のマイコンを、
庫内ファンの運転を停止する庫内ファン停止温度を設定する庫内ファン停止温度設定手段と、
庫内温度センサの検出庫内温度が前記庫内ファン停止温度になった時、庫内ファンを停止する庫内ファン停止手段と、
庫内温度センサの検出庫内温度が、当該冷蔵庫の庫内設定温度より高く、かつ庫内温度センサの検出庫内温度の時間当たりの温度の低下が所定の温度より小さい場合、所定以上の大きな負荷量と判断し、
庫内温度センサの検出温度の時間当たりの温度の低下が所定の温度より大きい場合、所定以下の小さな負荷量と判断する負荷検出手段と、
圧縮機の運転を停止する圧縮機停止温度を、前記庫内ファン停止温度より高い温度に設定し、
前記負荷検出手段が所定以上の大きな負荷量を検出した場合、検出時の前記圧縮機停止温度の設定温度を低下させて前記庫内ファン停止温度と同じとし、
前記負荷検出手段が所定以下の小さな負荷量を検出した場合、検出時の前記圧縮機停止温度の設定温度を上昇させて前記庫内ファン停止温度より高くする圧縮機停止温度設定手段と、
庫内温度が、前記圧縮機停止温度になった時、圧縮機の運転を停止する圧縮機停止手段と、
して機能させることを特徴とする制御プログラム。
【発明の詳細な説明】
【０００１】
【発明の属する技術分野】
本発明は冷蔵庫に関し、特に冷蔵庫の圧縮機及び庫内ファンの停止温度の設定に関するものである。
【０００２】
【従来の技術】
図１は冷凍冷蔵庫の１例であるが、冷凍冷蔵庫は、図１のように圧縮機５を運転し、冷却器３で冷却した空気を庫内ファン４により庫内に循環させ庫内を冷却するが、この圧縮機１の運転・停止は圧縮機運転・停止温度と冷凍室温度センサ２により検出される冷凍室温度との比較により決定し、また庫内ファン４の運転・停止は通常圧縮機１の運転・停止状態に同期させることが基本であった。
このため、図８の従来の圧縮機及び庫内ファンの運転・停止制御プラグラムの構成に示すように、圧縮機及び庫内ファンの運転・停止を制御するマイコンの制御プログラムは、圧縮機用冷凍室温度判定は有るが、庫内ファン用冷凍室温度判定が無いプログラムであった。
即ち、圧縮機用冷凍室温度判定を行い、圧縮機運転・停止要求に対して、圧縮機運転判定を行い、この判定結果の圧縮機運転・停止状態により、それぞれ、運転・停止とする庫内ファン運転判定を行った。
【０００３】
図９〜図１１のフローチャートにより冷凍冷蔵庫の圧縮機運転・停止制御及び庫内ファン運転・停止制御を説明する。
圧縮機の運転・停止は、図９の従来の圧縮機用冷凍室温度判定を示すフローチャートのように圧縮機運転・停止温度と冷凍室温度センサ２により検出される冷凍室温度との比較により決定した。
庫内ファン４は圧縮機１の運転中の冷却器３付近の冷気を冷凍室８、９へ送風するため圧縮機１の運転中は運転し、又圧縮機１の停止中は冷却器３付近の冷気を冷凍室８、９へ送風する必要がないため、圧縮機１の停止中は庫内ファン４を停止する。従って、庫内ファン４の運転・停止温度と冷凍室温度センサ２の比較判定は必要なく、制御プログラム上存在しなかった。
【０００４】
図９において、圧縮機１の運転・停止の冷凍室温度判定は次のように行った。Ｓ３０１にて、現在出力中の要求を判定し、運転・停止のどちらの温度判定を実施するかを判定する。圧縮機停止要求出力中の場合、Ｓ３０２で冷凍室温度センサ２の温度と圧縮機運転温度である圧縮機ＯＮ温度を比較し、冷凍室センサ温度≧圧縮機ＯＮ温度の場合はＳ３０３で圧縮機運転要求を出力する。また３０２で冷凍室センサ温度≧圧縮機ＯＮ温度条件を満たさない場合は、Ｓ３０５で圧縮機停止要求を出力する。Ｓ３０１にて、圧縮機運転要求出力中と判定した場合、Ｓ３０４で冷凍室温度センサ２の温度と圧縮機停止温度である圧縮機ＯＦＦ温度を判定し、冷凍室センサ温度＜圧縮機ＯＮ温度の場合は、Ｓ３０５で圧縮機停止要求を出力する。又Ｓ３０４で冷凍室センサ温度＜圧縮機ＯＦＦ温度条件を満たさない場合はＳ３０３で圧縮機運転要求を出力する。
【０００５】
次いで、図１０の従来の圧縮機運転判定フロ−チャ−トにより、圧縮機１の運転判定を説明する。
Ｓ４０１にて、現在圧縮機が運転中か判定し、停止中であれば運転開始判定のためＳ４０２で再起動防止時間の判定を行い、再起動防止中でなければＳ４０３で圧縮機運転要求を判定し、要求があればＳ４０４で圧縮機を運転する。またＳ４０２で再起動防止中またはＳ４０３で圧縮機運転要求がなければＳ４０７を実行し圧縮機を運転しない。
Ｓ４０１にて現在圧縮機が運転中であれば停止判定のためＳ４０５で圧縮機停止要求を判定し、要求があればＳ４０６で再起動防止を設定しＳ４０７で圧縮機を停止する。またＳ４０５で圧縮機停止要求がなければＳ４０４を実行し圧縮機の運転を継続する。
【０００６】
図１１の従来の庫内ファン運転判定を示すフロ−チャ−トにより、庫内ファン運転判定を説明する。
圧縮機１の運転状態により、庫内ファン４の運転動作を決定するためＳ５０１にて圧縮機１の運転状態を判定し、圧縮機１の運転中はＳ５０２にて庫内ファン４を運転し、また圧縮機１が停止中はＳ５０３にて庫内ファン４を停止する。
【０００７】
【発明が解決しようとする課題】
従来の冷蔵庫の圧縮機５及び庫内ファン４の運転・停止の制御プログラムは以上のように構成され、この制御プログラムで制御されているので、圧縮機５と庫内ファン４の運転・停止タイミングは同じとなり、圧縮機５の停止直後には冷却器３付近には残冷気があるのにもかかわらず、庫内ファン４も停止し、冷気が無駄になっていた。
【０００８】
この圧縮機５停止直後の冷却器３付近の残冷気を冷凍室内へ送風するために庫内ファン４の停止タイミングを遅らせれば、冷却エネルギーの有効利用が可能であるが停止タイミングを制御できるプログラム構成になっていない。このため消費電力量を改善できる手段が明確になっているのに、その対応がとれないと云う問題が生じる。
【０００９】
この発明は、このような問題点を解決するためになされたもので、冷却エネルギーが無駄になることを回避し、消費電力量を改善できる省エネルギ−の冷蔵庫を得ること、冷却負荷変動に的確に対応する冷蔵庫を得ること及び制御プログラムによるマイコン制御の冷蔵庫を得ることを目的とする。
【００１０】
【課題を解決するための手段】
本発明の請求項１に係る冷蔵庫は、圧縮機を運転し、冷却器で冷却した空気を庫内ファンにより庫内に循環させる冷蔵庫において、庫内ファン停止温度、及び該庫内ファン停止温度より高い圧縮機停止温度が設定され、庫内温度センサの検出庫内温度が、設定された前記圧縮機停止温度より低くなると、圧縮機を停止させ、庫内温度センサの検出庫内温度が、設定された前記庫内ファン停止温度より低くなると、庫内ファンを停止させ、庫内温度センサの検出庫内温度が、当該冷蔵庫の庫内設定温度より高く、かつ庫内温度センサの検出庫内温度の時間当たりの温度の低下が所定の温度より小さい場合、前記圧縮機停止温度の設定温度を低下させて前記庫内ファン停止温度と同じとし、庫内温度センサの検出温度の時間当たりの温度の低下が所定の温度より大きい場合、前記圧縮機停止温度の設定温度を上昇させて前記庫内ファン停止温度より高くするものである。
【００１４】
又、本発明の請求項２に係る冷蔵庫は、請求項１の冷蔵庫において、冷蔵庫の庫内設定温度を変更することにより、圧縮機停止温度の設定を、高く又は低くするものである。
【００１５】
又、本発明の請求項３に係る冷蔵庫は、請求項２の冷蔵庫において、前記庫内設定温度の変更を、冷蔵庫が受信手段を有し、外部からの庫内設定温度の変更情報を受信することにより行うものである。
【００１７】
又、本発明の請求項４に係る制御プログラムは、冷蔵庫のマイコンを、庫内ファンの運転を停止する庫内ファン停止温度を設定する庫内ファン停止温度設定手段と、庫内温度センサの検出庫内温度が前記庫内ファン停止温度になった時、庫内ファンを停止する庫内ファン停止手段と、庫内温度センサの検出庫内温度が、当該冷蔵庫の庫内設定温度より高く、かつ庫内温度センサの検出庫内温度の時間当たりの温度の低下が所定の温度より小さい場合、所定以上の大きな負荷量と判断し、庫内温度センサの検出温度の時間当たりの温度の低下が所定の温度より大きい場合、所定以下の小さな負荷量と判断する負荷検出手段と、圧縮機の運転を停止する圧縮機停止温度を、前記庫内ファン停止温度より高い温度に設定し、前記負荷検出手段が所定以上の大きな負荷量を検出した場合、検出時の前記圧縮機停止温度の設定温度を低下させて前記庫内ファン停止温度と同じとし、前記負荷検出手段が所定以下の小さな負荷量を検出した場合、検出時の前記圧縮機停止温度の設定温度を上昇させて前記庫内ファン停止温度より高くする圧縮機停止温度設定手段と、庫内温度が、前記圧縮機停止温度になった時、圧縮機の運転を停止する圧縮機停止手段として機能させるものである。
【００１８】
【発明の実施の形態】
実施の形態１．
図１は、横方向からみた冷凍冷蔵庫の全体構成を示す概略図である。図において、１は冷蔵庫であり、２は冷蔵庫１の庫内温度を検出する庫内温度センサである冷凍室温度センサであり、冷凍室の温度を検出する。３は冷却器、４は庫内ファン、５は圧縮機であり、冷却器３、圧縮機５を含む冷凍サイクルを構成し、圧縮機５を運転して、冷却器３で冷却した空気を庫内ファン４により庫内に循環させる。即ち、６は冷蔵室、７は野菜室、８は上段冷凍室、９は下段冷凍室であり、これらに冷却空気が循環される。
又、冷凍室温度センサ２、庫内ファン４及び圧縮機５は、信号線１０によりマイコン搭載制御装置（マイコン搭載制御基板）であるマイコン１１に接続され、冷凍室温度センサ２の検出温度を入力し、このマイコン１１の制御プログラムにより庫内ファン４及び圧縮機５は運転・停止が制御される。
冷凍室温度センサ２は本実施の形態では、上段冷凍室８に配置され、上段冷凍室８内の温度を検出する。
【００１９】
圧縮機５は、庫内設定温度である冷凍室の設定温度によって決まる圧縮機運転・停止温度と冷凍室温度センサ２によって検出される冷凍室温度との比較により運転・停止をマイコン１１の制御プログラムによって制御される。
【００２０】
図２は、本発明の実施の形態１の制御プログラム構成を示すものである。
図２（ａ）は圧縮機５のプログラム構成であり、圧縮機用冷凍室温度判定では冷凍室温度センサ２による検出温度と圧縮機運転・停止温度を比較判定し、圧縮機運転・停止要求を圧縮機運転判定へ出力する。圧縮機運転判定は圧縮機運転・停止要求により圧縮機の運転・停止を判定する。
図２（ｂ）は庫内ファン４のプログラム構成であり、庫内ファン用冷凍室温度判定では冷凍室温度センサによる検出温度と庫内ファン運転・停止温度を比較判定し、庫内ファン運転・停止要求を圧縮機から独立した庫内ファン運転判定へ出力する。独立した庫内ファン運転判定は庫内ファン運転・停止要求により庫内ファンの運転・停止を判定する。
【００２１】
図３は、庫内ファン用冷凍室温度判定のフローチャート図であり、従来の技術に対して、新たに制御プログラムへ追加したものである。
図において、Ｓ１０１にて現在出力中の要求を判定し、運転・停止どちらの温度判定を実施するかを判定する。停止要求出力中で運転温度判定（ＯＮ温度判定）する場合、Ｓ１０２で冷凍室センサ温度２と庫内ファンＯＮ温度（庫内ファン運転温度）を比較し、冷凍室センサ温度≧庫内ファンＯＮ温度の場合はＳ１０３で庫内ファン運転要求を出力する。又Ｓ１０２で冷凍室センサ温度≧庫内ファンＯＮ温度条件を満たさない場合はＳ１０５で庫内ファン停止要求を出力する。運転要求出力中で停止温度（ＯＦＦ温度）を判定するの場合、Ｓ１０４で冷凍室センサ温度と庫内ファンＯＦＦ温度（庫内ファン停止温度）を比較し、冷凍室センサ温度＜庫内ファンＯＦＦ温度の場合はＳ１０５で庫内ファン停止要求を出力する。またＳ１０４で冷凍室センサ温度＜圧縮機ＯＦＦ温度条件を満たさない場合はＳ１０３で庫内ファン運転要求を出力する。
【００２２】
図４は、独立した庫内ファン運転判定のフローチャート図である。
図において、庫内ファン運転要求により運転・停止を判定するため、Ｓ２０１で庫内ファン運転要求を判定し、要求がある場合にはＳ２０２で庫内ファン４を運転する。又Ｓ２０１で庫内ファン運転要求がない場合にはＳ２０３で庫内ファン４を停止する。
【００２３】
圧縮機５に関しては、圧縮機用冷凍室温度判定は、前記の図９と同じであり、圧縮機運転判定は、前記の図１０と同じである。
この制御プログラムを冷凍室制御に用いることで圧縮機５及び庫内ファン４を別々に独立して運転・停止することが可能となる。
そこで、庫内温度をコントロ−ルするために最適な温度条件で圧縮機及び庫内ファンを運転・停止できるので、無駄な電力消費がない又冷却負荷変動にも的確に対応できる冷蔵庫を得ることができる。
【００２４】
本実施の形態１では、前記の図２のプログラム構成を使い圧縮機停止温度（圧縮機ＯＦＦ温度）を庫内ファン停止温度（庫内ファンＯＦＦ温度）よりも高く設定する。このことにより図５に示されているように、圧縮機５、庫内ファン４は冷凍室温度センサー２の検出温度Ｔ１が圧縮機・庫内ファンＯＮ温度Ｔ２以上に上昇したときに圧縮機運転状態Ｔ５、庫内ファン運転状態Ｔ６はＯＮ（運転）となる。
又、圧縮機ＯＦＦ温度Ｔ３＞庫内ファンＯＦＦ温度Ｔ４のため、先に圧縮機５が停止し、その後、冷却器付近の残冷気により庫内が冷却されやがて庫内ファン４も停止する。したがって圧縮機運転短縮時間Ｔ７だけ、圧縮機５の運転時間の短縮が可能となる。
図５の例では、圧縮機ＯＮ温度及び庫内ファンＯＮ温度は、Ｔ２と同じにして、圧縮機運転による冷気が形成されたら、庫内ファン４を運転してこの冷気を庫内へ送るようにしている。
【００２５】
実施の形態２．
本実施の形態２では、実施の形態１と同じく図３のプログラム構成を使い、圧縮機ＯＦＦ温度を庫内ファンＯＦＦ温度よりも高く設定するが、冷蔵庫の扉を開く、外気温度が高い、食品量増加等の冷却負荷増の条件により冷却時間が長くなる場合には、圧縮機ＯＦＦ温度を下げ、冷却時間の長期化を防ぐ。
【００２６】
図６に示すように圧縮機５、庫内ファン４は、冷凍室温度センサー２の検出温度Ｔ１が圧縮機・庫内ファンＯＮ温度Ｔ２以上に上昇したときに圧縮機運転状態Ｔ５、庫内ファン運転状態Ｔ６はＯＮとなる。又冷凍室温度センサ２の検出温度Ｔ１が圧縮機ＯＦＦ温度Ｔ３、庫内ファンＯＦＦ温度Ｔ４以下になれば、それぞれの運転状態をＯＦＦとする。
圧縮機ＯＦＦ温度Ｔ３＞庫内ファンＯＦＦ温度Ｔ４の条件で庫内ファン４のみの運転途中で、冷却時間が長期化しそうな場合圧縮機ＯＦＦ温度Ｔ３を庫内ファンＯＦＦ温度Ｔ４と同じとする。即ち、温度Ｔ４まで低下させる。その時点より圧縮機は起動し冷却速度が遅い場合の冷凍室温度センサー検出温度Ｔ８よりも短い時間で冷却を完了し、冷却短縮時間Ｔ９だけ冷却時間が短縮される。
冷蔵庫の扉を開く、外気温度が高い、食品量増加等の冷却負荷増の判断は、マイコン搭載制御装置１１内の負荷検出手段が、庫内温度センサ２の検出温度と庫内設定温度との差が所定の温度より大きい、又庫内温度センサ２の検出温度が庫内設定温度より高く、かつ時間当たりの庫内温度の低下が所定の温度より小さい場合等に冷却負荷増と判断して、圧縮機ＯＦＦ温度を低下させる。
これにより、冷却器付近の残冷気がなくなり庫内ファンの運転だけでは冷凍室の冷却ができない場合に圧縮機を運転することで冷却時間を短縮できる。
【００２７】
実施の形態３．
実施の形態３では、同じく図３のプログラム構成を使い、最初圧縮機ＯＦＦ温度と庫内ファンＯＦＦ温度を同じに設定するが、外気温度、食品負荷条件等の冷却負荷が軽くなった場合に圧縮機ＯＦＦ温度を上げ圧縮機５の運転時間を短縮する。
【００２８】
図７に示すように圧縮機５、庫内ファン４は冷凍室温度センサ２の検出温度Ｔ１が圧縮機・庫内ファンＯＮ温度Ｔ２以上に上昇したときに圧縮機運転状態Ｔ５、庫内ファン運転状態Ｔ６はＯＮとなる。又冷凍室温度センサ２の検出温度Ｔ１が圧縮機ＯＦＦ温度Ｔ４、庫内ファンＯＦＦ温度Ｔ４以下になれば、それぞれの運転状態をＯＦＦとする。圧縮機ＯＦＦ温度Ｔ４と庫内ファンＯＦＦ温度Ｔ４とが同じ条件で圧縮機５、庫内ファン４が運転途中で冷却負荷が軽くなった場合に圧縮機ＯＦＦ温度Ｔ３＞庫内ファンＯＦＦ温度Ｔ４とする。その時点の冷凍室温度センサ２の検出温度が圧縮機ＯＦＦ温度Ｔ３以下であれば圧縮機５は停止し、庫内ファン４のみの冷却となる。よって圧縮機５の運転時間が短縮され、省エネルギ−となる。
冷却負荷減の判断は、マイコン搭載制御装置１１内の負荷検出手段が、庫内温度センサ２の検出温度と庫内設定温度との差が所定の温度より大きい、又時間当たりの庫内温度の低下が所定の温度より大きい場合等に冷却負荷減と判断して、圧縮機ＯＦＦ温度を上昇させる。
【００２９】
実施の形態４．
実施の形態２、３で冷蔵庫の使用状況、外気温度、食品負荷により冷却負荷が変動した場合に、圧縮機ＯＦＦ温度を変更したが、ユーザが冷蔵庫の庫内設定温度を任意に操作し、圧縮機ＯＦＦ温度を変更してもよい。
このようにすることで、ユ−ザの意向により冷却負荷に対応できる。
【００３０】
又ユ−ザによる圧縮機のＯＦＦ温度を変更は、冷蔵庫が受信手段を有し、ユーザが外出先より携帯情報端末、携帯電話等により、インタ−ネット等の様々な通信手段を利用して冷蔵庫の設定温度を任意に遠隔操作し、圧縮機のＯＦＦ温度を変更してもよい。
【００３１】
前記の実施の形態２及び３において、冷蔵庫１の使用中に冷却負荷変動があった場合、圧縮機の停止温度を、それぞれ、下げる例及び上げる例を記載したが、本発明においては、一般的に負荷検出手段により所定以上の大きな負荷量又は所定以下の小さな負荷量が検出された場合は、検出時の圧縮機停止温度の設定を、それぞれ、低く又は高くすることにより、冷却負荷が大きくなった場合には庫内設定温度までの冷却時間が長引くことをなくし、又冷却負荷が小さくなった場合には、圧縮機を先に停止し、庫内ファンで冷却し圧縮機の運転時間を短縮するようにできる。
【００３２】
【発明の効果】
本発明の請求項１に係る冷蔵庫は、圧縮機を運転し、冷却器で冷却した空気を庫内ファンにより庫内に循環させる冷蔵庫において、庫内ファン停止温度、及び該庫内ファン停止温度より高い圧縮機停止温度が設定され、庫内温度センサの検出庫内温度が、設定された前記圧縮機停止温度より低くなると、圧縮機を停止させ、庫内温度センサの検出庫内温度が、設定された前記庫内ファン停止温度より低くなると、庫内ファンを停止させ、庫内温度センサの検出庫内温度が、当該冷蔵庫の庫内設定温度より高く、かつ庫内温度センサの検出庫内温度の時間当たりの温度の低下が所定の温度より小さい場合、前記圧縮機停止温度の設定温度を低下させて前記庫内ファン停止温度と同じとし、庫内温度センサの検出温度の時間当たりの温度の低下が所定の温度より大きい場合、前記圧縮機停止温度の設定温度を上昇させて前記庫内ファン停止温度より高くするものとしたので、圧縮機及び庫内ファンの運転・停止温度を個々に設定でき、運転効率の良いタイミングで圧縮機及び庫内ファンの運転・停止を行い消費電力の改善等が可能となる。
【００３３】
又、本発明の請求項１に係る冷蔵庫は、庫内ファンよりも先に圧縮機が停止し、庫内ファンにより冷却器付近の残冷気を庫内へ送風することで圧縮機の運転時間を短縮でき省エネルギ−となる。
【００３４】
又、本発明の請求項１に係る冷蔵庫は、冷却負荷量が増加しても、庫内設定温度までの冷却時間が長期化することが防止できる。
【００３５】
又、本発明の請求項１に係る冷蔵庫は、冷却負荷が大きくなった場合には庫内設定温度までの冷却時間が長引くことがなく、又冷却負荷が小さくなった場合には、圧縮機を先に停止し、庫内ファンで冷却し圧縮機の運転時間を短縮できる。
【００３６】
又、本発明の請求項２に係る冷蔵庫は、請求項１の冷蔵庫において、冷蔵庫の庫内設定温度を変更することにより、圧縮機停止温度の設定を、高く又は低くするので、ユ−ザの意向により冷却負荷に対応できる。
【００３７】
又、本発明の請求項３に係る冷蔵庫は、請求項２の冷蔵庫において、前記庫内設定温度の変更を、冷蔵庫が受信手段を有し、外部からの庫内設定温度の変更情報を受信することにより行うので、外部からユ−ザの意向により冷却負荷に対応できる。
【００３８】
又、本発明の請求項４に係る制御プログラムは、冷蔵庫のマイコンを、庫内ファンの運転を停止する庫内ファン停止温度を設定する庫内ファン停止温度設定手段と、庫内温度センサの検出庫内温度が前記庫内ファン停止温度になった時、庫内ファンを停止する庫内ファン停止手段と、庫内温度センサの検出庫内温度が、当該冷蔵庫の庫内設定温度より高く、かつ庫内温度センサの検出庫内温度の時間当たりの温度の低下が所定の温度より小さい場合、所定以上の大きな負荷量と判断し、庫内温度センサの検出温度の時間当たりの温度の低下が所定の温度より大きい場合、所定以下の小さな負荷量と判断する負荷検出手段と、圧縮機の運転を停止する圧縮機停止温度を、前記庫内ファン停止温度より高い温度に設定し、前記負荷検出手段が所定以上の大きな負荷量を検出した場合、検出時の前記圧縮機停止温度の設定温度を低下させて前記庫内ファン停止温度と同じとし、前記負荷検出手段が所定以下の小さな負荷量を検出した場合、検出時の前記圧縮機停止温度の設定温度を上昇させて前記庫内ファン停止温度より高くする圧縮機停止温度設定手段と、庫内温度が、前記圧縮機停止温度になった時、圧縮機の運転を停止する圧縮機停止手段として機能させるので、庫内ファンよりも先に圧縮機が停止し、庫内ファンにより冷却器付近の残冷気を庫内へ送風することで圧縮機の運転時間を短縮でき省エネルギ−となる冷蔵庫のマイコン制御が可能となる。
【００３９】
又、本発明の請求項４に係る制御プログラムは、冷却負荷が大きくなった場合には庫内設定温度までの冷却時間が長引くことがなく、又冷却負荷が小さくなった場合には、圧縮機を先に停止し、庫内ファンで冷却し圧縮機の運転時間を短縮できるマイコン制御が可能となる。
【図面の簡単な説明】
【図１】  冷凍冷蔵庫の全体構成を示す概略図である。
【図２】  本発明の実施の形態１の制御プログラム構成を示す図である。
【図３】  本発明の実施の形態１の庫内ファン用冷凍室温度判定を示すフローチャートである。
【図４】  本発明の実施の形態１の庫内ファン運転判定を示すフローチャートである。
【図５】  本発明の実施の形態１の制御プログラムの動作を時系列的に示す図である。
【図６】  本発明の実施の形態２の制御プログラムの動作を時系列的に示す図である。
【図７】  本発明の実施の形態３の制御プログラムの動作を時系列的に示す図である。
【図８】  従来の制御プログラム構成を示す図である。
【図９】  従来の圧縮機用冷凍室温度判定を示すフロ−チャ−トである。
【図１０】  従来の圧縮機運転判定を示すフローチャートである。
【図１１】  従来の庫内ファン運転判定を示すフローチャートである。
【符号の説明】
１  冷蔵庫、２  庫内温度センサ、３  冷却器、４  庫内ファン、５  圧縮機、１１  マイコン。
【図１】
0004462791.tif 000002
【図２】
0004462791.tif 000003
【図３】
0004462791.tif 000004
【図４】
0004462791.tif 000005
【図５】
0004462791.tif 000006
【図６】
0004462791.tif 000007
【図７】
0004462791.tif 000008
【図８】
0004462791.tif 000009
【図９】
0004462791.tif 000010
【図１０】
0004462791.tif 000011
【図１１】
0004462791.tif 000012